(57)【要約】【課題】外乱光下であっても検出対象物を高精度で評価することが可能となる評価システムを提供する。【解決手段】評価システムは、１次元の波長情報を有する分光データを取得する取得手段と、上記分光データに基づいて算出値を算出する算出手段と、上記算出値に基づいて上記検査領域における検出対象物を評価する評価手段とを備え、上記検出対象物は、励起光の照射によって発光する任意の第１蛍光成分を含み、上記取得手段は、上記検査領域に被覆される被覆材の分光データである第１分光データと、上記検査領域の分光データである第２分光データと、励起光が照射された上記被覆材の分光データである第３分光データと、励起光が照射された上記検査領域の分光データである第４分光データと、を取得し、上記算出手段は、上記第１分光データと、上記第２分光データと、上記第３分光データと、上記第４分光データと、に基づいて上記算出値を算出する。【選択図】図１
2020112378.tif 000002
【特許請求の範囲】
【請求項１】
検査領域における検出対象物を評価する評価システムであって、
１次元の波長情報を有する分光データを取得する取得手段と、
上記分光データに基づいて算出値を算出する算出手段と、
上記算出値に基づいて上記検査領域における検出対象物を評価する評価手段とを備え、
上記検出対象物は、励起光の照射によって発光する任意の第１蛍光成分を含み、
上記取得手段は、
上記検査領域に被覆される被覆材の分光データである第１分光データと、
上記検査領域の分光データである第２分光データと、
励起光が照射された上記被覆材の分光データである第３分光データと、
励起光が照射された上記検査領域の分光データである第４分光データと、を取得し、
上記算出手段は、上記第１分光データと、上記第２分光データと、上記第３分光データと、上記第４分光データと、に基づいて上記算出値を算出すること
を特徴とする評価システム。
【請求項２】
上記被覆材は、励起光の照射によって発光する任意の第２蛍光成分を含むこと
を特徴とする請求項１記載の評価システム。
【請求項３】
検査領域における検出対象物を評価する評価システムであって、
１次元の波長情報を有する分光データを取得する取得手段と、
上記分光データに基づいて算出値を算出する算出手段と、
上記算出値に基づいて上記検査領域における検出対象物を評価する評価手段とを備え、
上記取得手段は、
上記検査領域に被覆される被覆材の分光データである第１分光データと、
上記検査領域の分光データである第２分光データと、を取得し、
上記算出手段は、上記第１分光データと、上記第２分光データと、に基づいて上記算出値を算出すること
を特徴とする評価システム。
【請求項４】
上記第１分光データと上記第２分光データとは、同一の波長を含む波長情報を有すること
を特徴とする請求項３記載の評価システム。
【請求項５】
上記第１分光データは、第１波長を含む波長情報を有し、
上記第２分光データは、上記第１波長とは異なる第２波長を含む波長情報を有すること
を特徴とする請求項３記載の評価システム。
【請求項６】
検査領域における検出対象物を評価する評価システムであって、
１次元の波長情報を有する分光データを取得する取得手段と、
上記分光データに基づいて算出値を算出する算出手段と、
上記算出値に基づいて上記検査領域における検出対象物を評価する評価手段とを備え、
上記検出対象物は、励起光の照射によって発光する任意の第１蛍光成分を含み、
上記取得手段は、
上記検査領域の分光データである第２分光データと、
励起光が照射された上記検査領域に被覆される被覆材の分光データである第３分光データと、
励起光が照射された上記検査領域の分光データである第４分光データと、を取得し、
上記算出手段は、上記第２分光データと、上記第３分光データと、上記第４分光データと、に基づいて上記算出値を算出すること
を特徴とする評価システム。
【請求項７】
上記検査領域は、凹凸状の第２凹凸部が形成され、
上記被覆材は、上記第２凹凸部に嵌め込まれる第１凹凸部が形成されること
を特徴とする請求項１〜６記載の評価システム。
【請求項８】
上記分光データを作成する分光データ作成手段を更に備え、
上記取得手段は、上記分光データ作成手段により作成された上記分光データを取得すること
を特徴とする請求項１〜７の何れか１項記載の評価システム。
【請求項９】
検査領域における検出対象物を評価する評価方法であって、
１次元の波長情報を有する分光データを取得する取得ステップと、
上記分光データに基づいて算出値を算出する算出ステップと、
上記算出値に基づいて上記検査領域における検出対象物を評価する評価ステップとを備え、
上記検出対象物は、励起光の照射によって発光する任意の第１蛍光成分を含み、
上記取得ステップでは、
上記検査領域に被覆される被覆材の分光データである第１分光データと、
上記検査領域の分光データである第２分光データと、
励起光が照射された上記被覆材の分光データである第３分光データと、
励起光が照射された上記検査領域の分光データである第４分光データと、を取得し、
上記算出ステップでは、上記第１分光データと、上記第２分光データと、上記第３分光データと、上記第４分光データと、に基づいて上記算出値を算出すること
を特徴とする評価方法。
【請求項１０】
検査領域における検出対象物を評価する評価方法であって、
１次元の波長情報を有する分光データを取得する取得ステップと、
上記分光データに基づいて算出値を算出する算出ステップと、
上記算出値に基づいて、上記検査領域における検出対象物を評価する評価ステップとを備え、
上記取得ステップでは、
上記検査領域に被覆される被覆材の分光データである第１分光データと、
上記検査領域の分光データである第２分光データと、を取得し、
上記算出ステップでは、上記第１分光データと、上記第２分光データと、に基づいて上記算出値を算出すること
を特徴とする評価方法。
【請求項１１】
検査領域における検出対象物を評価する評価方法であって、
１次元の波長情報を有する分光データを取得する取得ステップと、
上記分光データに基づいて算出値を算出する算出ステップと、
上記算出値に基づいて上記検査領域における検出対象物を評価する評価ステップとを備え、
上記検出対象物は、励起光の照射によって発光する任意の第１蛍光成分を含み、
上記取得ステップでは、
上記検査領域の分光データである第２分光データと、
励起光が照射された上記検査領域に被覆される被覆材の分光データである第３分光データと、
励起光が照射された上記検査領域の分光データである第４分光データと、を取得し、
上記算出ステップでは、上記第２分光データと、上記第３分光データと、上記第４分光データと、に基づいて上記算出値を算出すること
を特徴とする評価方法。
【発明の詳細な説明】
【技術分野】
【０００１】
本発明は、評価システム及び評価方法に関する。
【背景技術】
【０００２】
従来、特許文献１には、蛍光強度を利用して塗布面におけるダイカスト用離型剤の評価方法が開示されている。
【先行技術文献】
【特許文献】
【０００３】
【特許文献１】特開２０１４−５７９７２号公報
【発明の概要】
【発明が解決しようとする課題】
【０００４】
特許文献１の付着評価方法は、塗布面の特定領域について蛍光強度を連続的に測定して強度分布を得る。このため、特許文献１の付着評価方法は、蛍光灯や太陽光等の外乱光の影響のない場所において蛍光剤の蛍光強度から離型剤の付着状態を評価できる。しかしながら、特許文献１の付着評価方法は、外乱光の影響を考慮することができないため、外乱光下において離型剤を検出することができない。このため、離型剤を高精度で評価することができないという問題点があった。
【０００５】
そこで、本発明は、上述した問題点に鑑みて案出されたものであり、その目的とするところは、外乱光下であっても検出対象物を高精度で評価することが可能となる評価システム及び評価方法を提供することにある。
【課題を解決するための手段】
【０００６】
本発明に係る評価システムは、検査領域における検出対象物を評価する評価システムであって、１次元の波長情報を有する分光データを取得する取得手段と、上記分光データに基づいて算出値を算出する算出手段と、上記算出値に基づいて上記検査領域における検出対象物を評価する評価手段とを備え、上記検出対象物は、励起光の照射によって発光する任意の第１蛍光成分を含み、上記取得手段は、上記検査領域に被覆される被覆材の分光データである第１分光データと、上記検査領域の分光データである第２分光データと、励起光が照射された上記被覆材の分光データである第３分光データと、励起光が照射された上記検査領域の分光データである第４分光データと、を取得し、上記算出手段は、上記第１分光データと、上記第２分光データと、上記第３分光データと、上記第４分光データと、に基づいて上記算出値を算出することを特徴とする。
【０００７】
本発明に係る評価システムは、検査領域における検出対象物を評価する評価システムであって、１次元の波長情報を有する分光データを取得する取得手段と、上記分光データに基づいて算出値を算出する算出手段と、上記算出値に基づいて上記検査領域における検出対象物を評価する評価手段とを備え、上記取得手段は、上記検査領域に被覆される被覆材の分光データである第１分光データと、上記検査領域の分光データである第２分光データと、を取得し、上記算出手段は、上記第１分光データと、上記第２分光データと、に基づいて上記算出値を算出することを特徴とする。
【０００８】
本発明に係る評価システムは、検査領域における検出対象物を評価する評価システムであって、１次元の波長情報を有する分光データを取得する取得手段と、上記分光データに基づいて算出値を算出する算出手段と、上記算出値に基づいて上記検査領域における検出対象物を評価する評価手段とを備え、上記検出対象物は、励起光の照射によって発光する任意の第１蛍光成分を含み、上記取得手段は、上記検査領域の分光データである第２分光データと、励起光が照射された上記検査領域に被覆される被覆材の分光データである第３分光データと、励起光が照射された上記検査領域の分光データである第４分光データと、を取得し、上記算出手段は、上記第２分光データと、上記第３分光データと、上記第４分光データと、に基づいて上記算出値を算出することを特徴とする。
【０００９】
本発明に係る評価方法は、検査領域における検出対象物を評価する評価方法であって、１次元の波長情報を有する分光データを取得する取得ステップと、上記分光データに基づいて算出値を算出する算出ステップと、上記算出値に基づいて上記検査領域における検出対象物を評価する評価ステップとを備え、上記検出対象物は、励起光の照射によって発光する任意の第１蛍光成分を含み、上記取得ステップでは、上記検査領域に被覆される被覆材の分光データである第１分光データと、上記検査領域の分光データである第２分光データと、励起光が照射された上記被覆材の分光データである第３分光データと、励起光が照射された上記検査領域の分光データである第４分光データと、を更に取得し、上記算出ステップでは、上記第１分光データと、上記第２分光データと、上記第３分光データと、上記第４分光データと、に基づいて上記算出値を算出することを特徴とする。
【００１０】
本発明に係る評価方法は、検査領域における検出対象物を評価する評価方法であって、１次元の波長情報を有する分光データを取得する取得ステップと、上記分光データに基づいて算出値を算出する算出ステップと、上記算出値に基づいて上記検査領域における検出対象物を評価する評価ステップとを備え、上記取得ステップでは、上記検査領域に被覆される被覆材の分光データである第１分光データと、上記検査領域の分光データである第２分光データと、を取得し、上記算出ステップでは、上記第１分光データと、上記第２分光データと、に基づいて上記算出値を算出することを特徴とする。
【００１１】
本発明に係る評価方法は、検査領域における検出対象物を評価する評価方法であって、１次元の波長情報を有する分光データを取得する取得ステップと、上記分光データに基づいて算出値を算出する算出ステップと、上記算出値に基づいて上記検査領域における検出対象物を評価する評価ステップとを備え、上記検出対象物は、励起光の照射によって発光する任意の第１蛍光成分を含み、上記取得ステップでは、上記検査領域の分光データである第２分光データと、励起光が照射された上記検査領域に被覆される被覆材の分光データである第３分光データと、励起光が照射された上記検査領域の分光データである第４分光データと、を取得し、上記算出ステップでは、上記第２分光データと、上記第３分光データと、上記第４分光データと、に基づいて上記算出値を算出することを特徴とする。
【発明の効果】
【００１２】
本発明によれば、検出対象物は、励起光の照射によって発光する任意の第１蛍光成分を含み、取得部は、第１分光データと、第２分光データと、第３分光データと、第４分光データと、を取得し、算出部は、第１分光データと、第２分光データと、第３分光データと、第４分光データと、に基づいて算出値を算出する。これにより、検出対象物に含まれる第１蛍光成分の発光から検出対象物を高精度に検出することができる。このため、外乱光下であっても検査領域における検出対象物を高精度で評価することが可能となる。
【００１３】
本発明によれば、算出部は、第１分光データと、第２分光データと、に基づいて、算出値を算出する。これにより、第１分光データから外乱光の影響を考慮することができ、外乱光下であっても検出対象物を高精度に検出することができる。このため、外乱光下であっても検査領域における検出対象物を高精度で評価することが可能となる。
【００１４】
また、本発明によれば、算出部は、第２分光データと、第３分光データと、第４分光データに基づいて、算出値を算出する。これにより、外乱光の影響を除去するとともに、検出対象物に含まれる蛍光成分の発光から検出対象物を高精度に検出することができる。このため、外乱光下であっても検査領域３における検出対象物を高精度で評価することが可能となる。
【図面の簡単な説明】
【００１５】
【図１】本発明を適用した評価システムの全体構成を示すブロック図である。
【図２】スペクトル撮像装置の構成例を示す図である。
【図３】スペクトル撮像装置における制御部の詳細な構成を説明するための図である。
【図４】３次元分光データの例を示す図である。
【図５】（ａ）は、第１分光データを作成する手順を説明するための図であり、（ｂ）は、第３分光データを作成する手順を説明するための図である。
【図６】（ａ）は、第２分光データを作成する手順を説明するための図であり、（ｂ）は、第４分光データを作成する手順を説明するための図である。
【図７】白板材の変形例を示す図である。
【図８】本発明を適用した評価方法のフローを示す図である。
【図９】（ａ）は、第１分光データを作成する手順を説明するための図であり、（ｂ）は、第２分光データを作成する手順を説明するための図である。
【図１０】スペクトル撮像装置の他の構成例を示す図である。
【発明を実施するための形態】
【００１６】
以下、本発明を適用した評価システムを実施するための形態について、図面を参照しながら詳細に説明する。
【００１７】
本発明を適用した評価システム１は、検査領域における検出対象物の付着量や含有量等を定量的に評価するために用いられる。検査領域は、例えば、検査の対象となる領域であり、例えば、金型、タイヤ等の所定の形状の部材である。検出対象物は、例えば、切削油等の油剤等である。検出対象物には、励起光照射によって発光する蛍光成分が含まれていてもよい。この蛍光成分は、検出対象物に添加される蛍光剤であってもよい。
【００１８】
＜第１実施形態＞
図１は、実施形態に係る評価システム１の全体構成を示すブロック図である。評価システム１は、評価装置２と、スペクトル撮像装置４と、励起光照射部６と、を備える。本発明を適用した評価システム１は、外乱光の影響下にある明るい工場等の屋内環境に設置される。なお、評価システム１は、屋外環境に設置されてもよい。
【００１９】
＜励起光照射部６＞
励起光照射部６は、例えば、紫外線を照射する紫外線照射装置が用いられ、３００ｎｍ以上４００ｎｍ以下の紫外線、好ましくは３６５ｎｍの波長を含む紫外線を照射する光源である。励起光照射部６は、蛍光成分が発光できる励起光が照射されるものであれば、如何なる波長で照射されるものであってもよい。
【００２０】
＜スペクトル撮像装置４＞
図２は、スペクトル撮像装置４の構成例を示している。スペクトル撮像装置４は、カラーフィルタを交換する方式のいわゆるマルチスペクトルカメラや、プリズムを用いた方式のいわゆるハイパースペクトルカメラで構成されている。スペクトル撮像装置４は、例えば、２００ｎｍ以上１３μｍ以下の波長範囲において任意の計測波長範囲を設定することができ、０．１ｎｍ以上１００ｎｍ以下の波長分解能とされている。
【００２１】
スペクトル撮像装置４は、例えば、撮像対象が自ら発する光や被写体から発せられ、或いは反射又は透過する光、すなわち被写体からの撮像光Ｌを取り込む対物レンズ４１と、ＸＹＺからなる３軸の直交座標系におけるＹ軸方向に移動する精密直動ステージ４２と、対物レンズ４１の像面においてＺ軸方向に設けられたスリット開口部４３ａを配設するためのスリット板４３と、スリット開口部４３ａを通過した光束を平行光とするコリメートレンズ４４と、コリメートレンズ４４からの平行光を分光させる分光部４５と、分光部４５から出射された光束を取り込む結像レンズ４６と、結像レンズ４６の像面上に設けられた受光部４７と、精密直動ステージ４２および受光部４７を制御し、各種処理を行う制御部４８とを備えている。なお、このスペクトル撮像装置４は、特開２０１５−１６６６８２号公報の開示技術を用いるようにしてもよい。
【００２２】
精密直動ステージ４２は、例えば、制御部４８による制御の下でスリット板４３、コリメートレンズ４４、分光部４５、結像レンズ４６、受光部４７を一体的にＹ軸方向に向けて稼働させる。
【００２３】
分光部４５は、例えば、回折格子、プリズム等の分散光学素子により具現化される。分光部４５は、コリメートレンズ４４を通過してくる光束を波長毎の成分に分光させる機能を有している。
【００２４】
受光部４７は、例えばＣＣＤイメージセンサやＣＭＯＳイメージセンサ等の任意数の撮像素子により構成される。この受光部４７は、撮像面に結像された光を光電変換により電気信号へと変換する。そして、受光部４７により変換された電気信号は、制御部４８に送信される。仮に赤外領域、近赤外領域、紫外領域の光を受光するのであれば、それに適した受光部４７を配設することになる。
【００２５】
図３は、制御部４８の更なる詳細な構成を示している。制御部４８は、受光部４７により電気信号を取得するタイミングを制御する撮影制御部４８１と、精密直動ステージ４２のＹ軸方向における移動方向、移動量、移動タイミングを制御する移動制御部４８２と、受光部４７からの電気信号に基づいて分光データを作成する分光データ作成部４８３と、分光データ作成部４８３により作成された分光データに基づいて、算出値を算出する算出部４８４と、分光データを取得する取得部４８５を備える。なお、この制御部４８の一部の構成要素又は全て要素については、独立したパーソナルコンピュータ（ＰＣ）内に実装されるものであってもよい。
【００２６】
分光データ作成部４８３は、受光部４７から送信されてきた電気信号に基づいて、被写体の撮像領域における２次元の空間情報毎に１次元の波長情報を有する分光データを作成する。
【００２７】
詳細には、分光データ作成部４８３は、先ず所定の位置に固定された精密直動ステージ４２に設置された受光部４７からの電気信号に基づいて、第３方向Ｚの座標軸上の１点に対応する１次元の空間情報毎に、波長情報を有する２次元の分光データを作成し、これを記憶する。そして、精密直動ステージ４２を第２方向Ｙに所定の移動量だけ稼働させた上で、再度受光部４７からの電気信号に基づいて、第３方向Ｚの座標軸上の１点に対応する１次元の空間情報毎に、波長情報を有する２次元の分光データを作成し、これを記憶する。これらの処理を繰り返し実行し、全ての撮像領域の撮像が終了する。これにより、分光データ作成部４８３は、第２方向Ｙ及び第３方向Ｚのそれぞれの座標軸上の一点に対応する２次元の空間情報毎に、１次元の波長情報を有する３次元分光データを作成する。
【００２８】
分光データ作成部４８３は、作成した３次元分光データを用いて、波長毎の分光画像を生成してもよい。図４は、作成した３次元分光データを用いて、波長毎に生成した分光画像を示す図である。図４に示すように、何れかの波長の分光画像には、当該波長成分の第２方向Ｙと、第３方向Ｚの座標軸上におけるスペクトル強度の分布状況が映し出される。
【００２９】
なお、分光データ作成部４８３は、１次元の波長情報のみを有する分光データを作成してもよい。
【００３０】
分光データ作成部４８３は、第１分光データと、第２分光データと、第３分光データと、第４分光データと、を作成する。
【００３１】
第１分光データを作成する際には、図５（ａ）に示すように、スペクトル撮像装置４は、外乱光下において、検査領域３に被覆された被覆材７を被写体として撮像する。このとき、励起光照射部６は、励起光を照射していないこととなる。分光データ作成部４８３は、外乱光下における被覆材７を被写体としたときの分光データを第２分光データとして作成する。第１分光データは、撮像領域における２次元の空間情報毎に１次元の波長情報を有する。
【００３２】
第３分光データを作成する際には、図５（ｂ）に示すように、スペクトル撮像装置４は、外乱光下において励起光照射部６により励起光が照射された被覆材７を被写体として撮像する。分光データ作成部４８３は、外乱光において励起光が照射された被覆材７を被写体としたときの分光データを第３分光データとして作成する。第３分光データは、撮像領域における２次元の空間情報毎に１次元の波長情報を有する。後述する被覆材７に励起光照射によって発光する蛍光成分が含まれる場合には、この蛍光成分が励起光照射によって発光する。
【００３３】
第２分光データを作成する際には、図６（ａ）に示すように、スペクトル撮像装置４は、外乱光下において検査領域３を被写体として撮像する。このとき、励起光照射部６は、励起光を照射していないこととなる。分光データ作成部４８３は、外乱光下における検査領域３を被写体としたときの分光データを第２分光データとして作成する。第２分光データは、撮像領域における２次元の空間情報毎に１次元の波長情報を有する。
【００３４】
第４分光データを作成する際には、図６（ｂ）に示すように、スペクトル撮像装置４は、外乱光下において、励起光照射部６により励起光が照射された検査領域３を被写体として撮像する。分光データ作成部４８３は、外乱光下において励起光が照射された検査領域３を被写体としたときの分光データを第４分光データとして作成する。第４分光データは、撮像領域における２次元の空間情報毎に１次元の波長情報を有する。検出対象物に励起光照射によって発光する蛍光成分が含まれる場合には、この蛍光成分が励起光照射によって発光する。
【００３５】
被覆材７は、検査領域３に対して着脱自在であり、板材、型枠材、紙、布、金型等の部材や液剤、粉材等が用いられる。被覆材７は、如何なる色に着色されていてもよいが、白色であることが好ましい。被覆材７が白色であることにより、被覆材７の反射率が高くなるため、被覆材７をより高精度に検出することができる。
【００３６】
被覆材７には、励起光照射によって発光する任意の蛍光成分が含まれる。被覆材７は、所定の厚みを有し、少なくともスペクトル撮像装置４により撮像される撮像領域全体を被覆するものとなる。被覆材７は、検査領域３全体を被覆するものであってもよい。図７に示すように、検査領域３に凹凸状の第２凹凸部３１が形成されている場合、被覆材７は、第２凹凸部３１に嵌め込まれる第１凹凸部７１が形成されてもよい。
【００３７】
取得部４８５は、分光データを取得する。取得部４８５は、算出部４８４により算出値を算出する前に、第１分光データと、第２分光データと、第３分光データと、第４分光データと、を取得する。
【００３８】
算出部４８４は、第１分光データと、第２分光データと、第３分光データと、第４分光データと、に基づいて、算出値Ｓを算出する。ここで、第１分光データと、第２分光データと、第３分光データと、第４分光データとは、同一の波長λを含む波長情報を有している。このとき、例えば、第１分光データにおける波長λの第１スペクトル強度Ｉ１とし、第２分光データにおける波長λの第２スペクトル強度Ｉ２とし、第３分光データにおける波長λの第３スペクトル強度Ｉ３とし、第４分光データにおける波長λの第４スペクトル強度Ｉ４とする。このとき、算出部４８４は、算出値Ｓを以下の数式（１）により算出してもよい。
【００３９】
【数１】
2020112378.tif 000003
【００４０】
このようにして、算出部４８４は、第１分光データと、第２分光データと、第３分光データと、第４分光データと、に基づいて、算出値Ｓを算出する。
【００４１】
なお、第１分光データと第３分光データとは、第１波長を含む波長情報を有し、第２分光データと第４分光データとは、第１波長とは異なる第２波長を含む波長情報を有していてもよい。例えば、第１分光データにおける第１波長λ１の第１スペクトル強度Ｉ１とし、第２分光データにおける第２波長λ２の第２スペクトル強度Ｉ２とし、第３分光データにおける第１波長λ１の第３スペクトル強度Ｉ３とし、第４分光データにおける第２波長λ４の第４スペクトル強度Ｉ４とする。このときであっても、算出部４８４は、算出値Ｓを上記の数式（１）により算出してもよい。
【００４２】
このように、少なくとも、第１分光データと第３分光データとは、同一の波長を含む波長情報を有し、かつ、第２分光データと第４分光データとは、同一の波長を含む波長情報を有していればよい。
【００４３】
また、撮像領域における２次元の空間情報毎に波長情報を有する分光データを作成した場合には、算出部４８４は、２次元の空間情報毎に算出値を算出してもよい。
【００４４】
算出部４８４は、暗電流に起因するノイズ除去、画素間感度偏差補正処理、輝度校正処理、空間内の光源光の照明ムラの補正等を行ってもよい。
【００４５】
算出部４８４は、２次元の空間情報毎に算出された算出値を、解析画像として生成してもよい。算出部４８４は、生成した解析画像を所定の表示方法により表示するための処理を行ってもよい。算出部４８４は、解析画像を評価装置２に送信する。送信された解析画像は、表示部２３に描画される。なお、算出部４８４は、波長毎の分光画像に基づいて、解析画像を生成してもよい。
【００４６】
＜評価装置２＞
評価装置２は、例えば、パーソナルコンピュータ（ＰＣ）等を始めとした電子機器で構成されているが、ＰＣ以外に、携帯電話、スマートフォン、タブレット型端末、ウェアラブル端末等、他のあらゆる電子機器で具現化されるものであってもよい。
【００４７】
評価装置２は、図４に示すように評価装置２全体を制御するための制御部２４と、操作ボタンやキーボード等を介して各種制御用の指令を入力するための操作部２５と、有線通信又は無線通信を行うための通信部２６と、実際の評価を行う評価部２７と、ハードディスク等に代表され、実行すべき検索を行うためのプログラムを格納するための記憶部２８とが内部バス２１にそれぞれ接続されている。さらに、この内部バス２１には、実際に情報を表示するモニタとしての表示部２３が接続されている。
【００４８】
制御部２４は、内部バス２１を介して制御信号を送信することにより、評価装置２内に実装された各構成要素を制御するためのいわゆる中央制御ユニットである。また、この制御部２４は、操作部２５を介した操作に応じて各種制御用の指令を内部バス２１を介して伝達する。
【００４９】
操作部２５は、キーボードやタッチパネルにより具現化され、プログラムを実行するための実行命令がユーザから入力される。この操作部２５は、上記実行命令がユーザから入力された場合には、これを制御部２４に通知する。この通知を受けた制御部２４は、評価部２７を始め、各構成要素と協調させて所望の処理動作を実行していくこととなる。
【００５０】
評価部２７は、算出部４８４により算出された算出値に基づいて、検査領域における検出対象物を評価する。評価部２７は、検出対象物を２次元の空間情報毎に評価してもよい。
【００５１】
表示部２３は、制御部２４による制御に基づいて表示画像を作り出すグラフィックコントローラにより構成されている。この表示部２３は、例えば、液晶ディスプレイ（ＬＣＤ）等によって実現される。
【００５２】
記憶部２８は、ハードディスクで構成される場合において、制御部２４による制御に基づき、各アドレスに対して所定の情報が書き込まれるとともに、必要に応じてこれが読み出される。また、この記憶部２８には、本発明を実行するためのプログラムが格納されている。このプログラムは制御部２４により読み出されて実行されることになる。更にこの記憶部２８には、判別対象を検知するためのアルゴリズムに関する情報も記憶されている。記憶部２８には、分光データ作成部４８３により作成された分光データが記憶される。
【００５３】
次に、本発明を適用した評価方法の一例を説明する。図８は、本発明を適用した評価方法のフローを示す図である。本発明を適用した評価方法は、分光データ作成ステップＳ１１と、取得ステップＳ１２と、算出ステップＳ１３と、評価ステップＳ１４とを備える。以下、検出対象物に、励起光の照射によって発光する任意の蛍光成分（以下、第１蛍光成分ともいう）が含まれるとともに、被覆材７に、励起光の照射によって発光する任意の蛍光成分（以下、第２蛍光成分ともいう）が含まれる場合について、説明する。第２蛍光成分は、被覆材に添加される蛍光剤であってもよい。なお、第１蛍光成分と第２蛍光成分とは、同種のものであってもよいし、異種のものであってもよい。
【００５４】
分光データ作成ステップＳ１１では、分光データ作成部４８３は、１次元の波長情報を有する分光データを作成する。分光データ作成部４８３は、第１分光データと、第２分光データと、第３分光データと、第４分光データと、を作成する。
【００５５】
分光データ作成部４８３は、先ず、第１分光データを作成する。第１分光データを作成する際には、図５（ａ）に示すように、検査領域３に被覆材７を被覆する。そして、スペクトル撮像装置４は、外乱光下において被覆材７を被写体として撮像する。このとき、励起光照射部６は、励起光を照射していないこととなる。分光データ作成部４８３は、外乱光下における被覆材７を被写体としたときの分光データを第１分光データとして作成する。作成した第１分光データは、記憶部２８に記憶させる。
【００５６】
次に、分光データ作成部４８３は、第３分光データを作成する。第３分光データを作成する際には、図５（ｂ）に示すように、励起光照射部６を起動し、被覆材７に励起光を照射する。被覆材７に励起光照射によって発光する第２蛍光成分が含まれるため、この第２蛍光成分が励起光照射によって発光する。そして、スペクトル撮像装置４は、外乱光下において、励起光照射部６により励起光が照射された被覆材７を被写体として撮像する。分光データ作成部４８３は、外乱光下において励起光が照射された被覆材７を被写体としたときの分光データを第３分光データとして作成する。作成した第３分光データは、記憶部２８に記憶させる。
【００５７】
次に、分光データ作成部４８３は、第２分光データを作成する。第２分光データを作成する際には、図６（ａ）に示すように、被覆材７を検査領域３から取り外す。また、励起光照射部６からの励起光の照射を停止させる。そして、スペクトル撮像装置４は、外乱光下において、検査領域３を被写体として撮像する。分光データ作成部４８３は、外乱光下における検査領域３を被写体としたときの分光データを第２分光データとして作成する。作成した第２分光データは、記憶部２８に記憶させる。
【００５８】
次に、分光データ作成部４８３は、第４分光データを作成する。第４分光データを作成する際には、図６（ｂ）に示すように、励起光照射部６を起動し、被覆材７に励起光を照射する。これにより、検出対象物に含まれる第１蛍光成分が、励起光照射によって発光する。そして、スペクトル撮像装置４は、外乱光下において、励起光照射部６により励起光が照射された検査領域３を被写体として撮像する。分光データ作成部４８３は、外乱光下において励起光が照射された検査領域３を被写体としたときの分光データを第４分光データとして作成する。作成した第４分光データは、記憶部２８に記憶させる。
【００５９】
本実施形態では、第１分光データと、第３分光データと、を作成した後に、第２分光データと、第４分光データとを作成する。これにより、被覆材７を検査領域３から取り外す回数を減らすことができ、検出対象物を短時間で評価することができる。
【００６０】
なお、本発明では、第２分光データと、第４分光データと、を作成した後に、第１分光データと、第３分光データとを作成してもよい。これにより、被覆材７を検査領域３に取り付ける回数を減らすことができ、検出対象物の付着状態を短時間で評価することができる。
【００６１】
なお、本実施形態では、第１分光データを作成した後に、第３分光データを作成したが、本発明では、第３分光データを作成した後に、第１分光データを作成してもよい。また、本実施形態では、第２分光データを作成した後に、第４分光データを作成したが、本発明では、第４分光データを作成した後に、第２分光データを作成してもよい。
【００６２】
＜取得ステップＳ１２＞
次に、取得ステップＳ１２では、取得部４８５は、記憶部２８に記憶させていた、第１分光データと、第２分光データと、第３分光データと、第４分光データと、を取得する。
【００６３】
なお、本実施形態では、取得ステップＳ１２では、分光データ作成ステップＳ１１において作成した、第１分光データと、第２分光データと、第３分光データと、第４分光データと、を取得するのが好ましい。これにより、それぞれの分光データは、いわば検査の直前のものとなるため、検査領域における検出対象物を評価する精度を向上させることができる。
【００６４】
なお、本発明では、第２分光データと、第４分光データは、分光データ作成ステップＳ１１において作成したものを用いるとともに、第１分光データと、第３分光データとは、過去に予め作成されたものを用いてもよい。これにより、第１分光データと、第３分光データを作成する手間を省略することができる。このため、検査領域における検出対象物をより短時間で評価することができる。
【００６５】
なお、本発明では、取得ステップＳ１２では、予め作成された、第１分光データと、第２分光データと、第３分光データと、第４分光データと、を取得してもよい。このとき、分光データ作成ステップは省略できる。
【００６６】
＜算出ステップＳ１３＞
次に、算出ステップＳ１３では、取得ステップＳ１２において取得した、第１分光データと、第２分光データと、第３分光データと、第４分光データと、に基づいて、上記した数式（１）により算出値を算出する。
【００６７】
算出値を算出する際、第１分光データと、第２分光データと、第３分光データと、第４分光データとは、同一の波長λを含む波長情報を有する。ここで、例えば、第１分光データにおける第１スペクトル強度Ｉ１（ｗ，λ）とし、第２分光データにおける第２スペクトル強度Ｉ２（ｗ，λ）とし、第３分光データにおける第３スペクトル強度Ｉ３（ｗ，λ）とし、第４分光データにおける第４スペクトル強度Ｉ４（ｗ，λ）とする。ｗは、任意の画素を表し、２次元の位置情報を有する。このとき、算出部４８４は、算出値Ｓを例えば以下の数式（２）により算出する。このとき、波長λは、第１蛍光成分及び第２蛍光成分の発光波長とすることが好ましい。
【００６８】
【数２】
2020112378.tif 000004
【００６９】
また、第１分光データと、第２分光データと、第３分光データと、第４分光データとは、同一の波長λを含む波長情報を有する。これにより、作成すべき分光データの容量を低減させることができる。このため、算出値の算出処理の速度を早くすることができる。
【００７０】
なお、発光強度を算出する際、第１分光データと第３分光データとは、第１波長を含む波長情報を有し、第２分光データと特徴データとは、第１波長とは異なる第２波長を含む波長情報を有していてもよい。例えば、第１分光データにおける第１スペクトル強度Ｉ１（ｗ，λ’）とし、第３分光データにおける第３スペクトル強度Ｉ３（ｗ，λ’）とし、第２分光データにおける第２スペクトル強度Ｉ２（ｗ，λ）とし、特徴データにおける第４スペクトル強度Ｉ４（ｗ，λ）とする。このとき、算出部４８４は、算出値Ｓを例えば以下の数式（３）により算出する。第１波長λ’と第２波長λは、任意の異なる２波長であればよく、例えば、第１波長λ’は、第２蛍光成分の発光波長であり、第２波長λは、第１蛍光成分の発光波長であることが好ましい。
【００７１】
【数３】
2020112378.tif 000005
【００７２】
算出部４８４は、２次元の空間情報毎に算出された算出値を、解析画像として生成してもよい。算出部４８４は、算出した算出値を、評価装置２の評価部２７に送信する。
【００７３】
＜評価ステップＳ１４＞
次に、評価ステップＳ１４では、評価部２７は、算出ステップＳ１３において算出した算出値に基づいて、検査領域３における検出対象物を評価する。
【００７４】
表示部２３は、算出部４８４により生成した、２次元の空間情報毎に算出された算出値を、解析画像として映し出す。ユーザは、この表示部２３上に映し出される解析画像から、検出対象物を判別することができ、また当該領域において検出対象物が付着していることを判別することが可能となる。
【００７５】
評価部２７が検出対象物を評価する場合には、２次元の空間情報毎の算出値と閾値とを比較し、閾値を上回る算出値を持つ領域が、検出対象物が付着しているものと判断するようにしてもよい。この算出値が検出対象物の付着量等と相関を持っている場合には、算出値の大きさに応じて検出対象物の付着量等を判別するようにしてもよい。かかる場合には、複数段階設定した閾値を介して算出値を判別し、判別した算出値に基づいて検出対象物の付着量等を定量的に評価して、完了する。
【００７６】
本実施形態によれば、検出対象物は、励起光の照射によって発光する任意の第１蛍光成分を含み、取得部４８５は、第１分光データと、第２分光データと、第３分光データと、第４分光データと、を取得し、算出部４８４は、第１分光データと、第２分光データと、第３分光データと、第４分光データと、に基づいて算出値を算出する。これにより、検出対象物に含まれる第１蛍光成分の発光から検出対象物を高精度に検出することができる。このため、外乱光下であっても検査領域３における検出対象物を高精度で評価することが可能となる。
【００７７】
本実施形態によれば、被覆材７は、励起光の照射によって発光する任意の第２蛍光成分を含む。これにより、被覆材７に含まれる蛍光成分の発光から外乱光の影響を考慮することができ、検出対象物を高精度に検出することができる。このため、外乱光下であっても検査領域３における検出対象物を高精度で評価することが可能となる。
【００７８】
本実施形態によれば、第１分光データと、第２分光データと、第３分光データと、第４分光データとは、同一の波長を含む波長情報を有する。これにより、算出部４８４の算出処理を早く行うことができる。
【００７９】
本実施形態によれば、第１分光データと第３分光データとは、第１波長を含む波長情報を有し、第２分光データと特徴データとは、第１波長とは異なる第２波長を含む波長情報を有する。これにより、各蛍光成分の発光が強く表れる波長を、第１波長と第２波長として用いることができる。このため、外乱光の影響を除去を更に高精度に行うことができ、検出対象物を更に高精度に検出することができる。
【００８０】
本実施形態によれば、被覆材７は、検査領域３の第２凹凸部３１に嵌め込まれる第１凹凸部７１が形成される。これにより、検査領域３の第２凹凸部３１により形成される影が、被覆材７の第１凹凸部７１により形成される影で、再現される。つまり、第１分光データは、影を加味して外乱光の影響を考慮することができる。このため、奥行きがある検査領域３であっても、検出対象物を高精度に検出することができる。よって、検出対象物を高精度で評価することが可能となる。
【００８１】
本実施形態によれば、分光データを作成する分光データ作成部４８３を更に備え、取得部４８５は、分光データ作成部４８３により作成された分光データを取得する。これにより、検査の直前に作成された分光データが取得されることとなり、事前に取得した分光データを用いるよりも、検出対象物をより高い精度で検出することができる。このため、外乱光下であっても検査領域３における検出対象物を高精度で評価することが可能となる。
【００８２】
以上、被覆材７に第２蛍光成分が含まれる場合について説明したが、被覆材７には第２蛍光成分が含まれていなくてもよい。以下、検出対象物には第１蛍光成分が含まれ、被覆材７には第２蛍光成分が含まれない場合について説明する。
【００８３】
かかる場合において、発光強度を算出する際、第１分光データと第３分光データとは、第１波長を含む波長情報を有し、第２分光データと第４分光データとは、第１波長とは異なる第２波長を含む波長情報を有する。ここで、例えば、第１分光データにおける第１スペクトル強度Ｉ１（ｗ，λ’）とし、第３分光データにおける第３スペクトル強度Ｉ３（ｗ，λ’）とし、第２分光データにおける第２スペクトル強度Ｉ２（ｗ，λ）とし、第４分光データにおける第４スペクトル強度Ｉ４（ｗ，λ）とする。このとき、算出部４８４は、算出値Ｓを例えば上記した数式（３）により算出する。第１波長λ’は、励起光の波長であり、第２波長λは、検出対象物に含まれる第１蛍光成分の発光波長とすることが好ましい。
【００８４】
本実施形態によれば、算出部４８４は、第１分光データと、第２分光データと、第３分光データと、第４分光データと、に基づいて算出値を算出する。これにより、外乱光の影響を除去するとともに、検出対象物に含まれる第１蛍光成分の発光から検出対象物を高精度に検出することができる。このため、外乱光下であっても検査領域３における検出対象物を高精度で評価することが可能となる。
【００８５】
本実施形態によれば、第１分光データは、第１波長を含む波長情報を有し、第２分光データは、第１波長とは異なる第２波長を含む波長情報を有する。これにより、外乱光の影響が大きい波長と、検出対象物の影響が大きい波長から、それぞれの影響を考慮することができる。このため、外乱光下であっても検査領域３における検出対象物を高精度で評価することが可能となる。
【００８６】
本実施形態によれば、第１分光データと第３分光データとは、第１波長を含む波長情報を有し、第２分光データと第４分光データとは、第１波長とは異なる第２波長を含む波長情報を有する。これにより、外乱光の影響が大きい波長と、検出対象物に含まれる第１蛍光成分の影響が大きい波長とから、それぞれの影響を考慮することができる。このため、外乱光下であっても検査領域３における検出対象物を高精度で評価することが可能となる。
【００８７】
＜第２実施形態＞
次に、第２実施形態に係る評価システム１について、説明する。第２実施形態では、第１分光データの取得を省略し、第２分光データと、第３分光データと、第４分光データとに基づいて算出値を算出する点で、第１実施形態と相違する。なお、上述した各構成と同様の場合は、適宜説明を省略する。
【００８８】
第２実施形態に係る評価システム１は、工場等の屋内環境に設置される。工場等の屋内環境では、外乱光に含まれる励起光は、極めて少ないと考えられる。このため、屋内環境では、上記数式（３）における第１スペクトル強度Ｉ１（ｗ，λ’）＝０とできる。即ち、屋内環境では、第１分光データの取得を省略することもできる。
【００８９】
詳細には、屋内環境で検出対象物を評価する際、取得部４８５は、算出部４８４により算出値を算出する前に、記憶部２８に記憶した、第２分光データと、第３分光データと、第４分光データを取得する。
【００９０】
次に、算出部４８４は、第２分光データと、第３分光データと、第４分光データと、に基づいて、算出値を算出する。
【００９１】
本実施形態によれば、算出部４８４は、第２分光データと、第３分光データと、第４分光データと、に基づいて算出値を算出する。これにより、外乱光の影響を除去するとともに、検出対象物に含まれる第１蛍光成分の発光から検出対象物を高精度に検出することができる。このため、外乱光下であっても検査領域３における検出対象物を高精度で評価することが可能となる。
【００９２】
また、算出部４８４は、第２分光データと、第３分光データと、第４分光データと、に基づいて算出値を算出する。これにより、第１分光データの取得を省略することができる。このため、算出処理の速度を向上させることができ、検査領域３における検出対象物を短時間で評価することが可能となる。
【００９３】
本実施形態によれば、第３分光データは、第１波長を含む波長情報を有し、第２分光データと第４分光データとは、第１波長とは異なる第２波長を含む波長情報を有する。これにより、外乱光の影響が大きい波長と、検出対象物に含まれる第１蛍光成分の影響が大きい波長とから、それぞれの影響を考慮することができる。このため、外乱光下であっても検査領域３における検出対象物を高精度で評価することが可能となる。
【００９４】
＜第３実施形態＞
次に、第３実施形態に係る評価システム１について、説明する。第３実施形態では、第３分光データと第４分光データの取得を省略し、第１分光データと、第２分光データとに基づいて算出値を算出する点で、第１実施形態と相違する。なお、上述した各構成と同様の場合は、適宜説明を省略する。
【００９５】
本実施形態では、分光データ作成ステップＳ１１と、取得ステップＳ１２と、算出ステップＳ１３と、評価ステップＳ１４とを備える。
【００９６】
＜分光データ作成ステップＳ１１＞
分光データ作成ステップＳ１１では、分光データ作成部４８３は、１次元の波長情報を有する分光データを作成する。分光データ作成部４８３は、第１分光データと、第２分光データと、を作成する。
【００９７】
分光データ作成部４８３は、先ず、第１分光データを作成する。第１分光データを作成する際には、図９（ａ）に示すように、検査領域３に被覆材７を被覆する。そして、スペクトル撮像装置４は、外乱光下において被覆材７を被写体として撮像する。分光データ作成部４８３は、外乱光下における被覆材７を被写体としたときの分光データを第１分光データとして作成する。作成した第１分光データは、記憶部２８に記憶させる。
【００９８】
次に、分光データ作成部４８３は、第２分光データを作成する。第２分光データを作成する際には、図９（ｂ）に示すように、被覆材７を検査領域３から取り外す。そして、スペクトル撮像装置４は、外乱光下において、検査領域３を被写体として撮像する。分光データ作成部４８３は、外乱光下における検査領域３を被写体としたときの分光データを第２分光データとして作成する。作成した第２分光データは、記憶部２８に記憶させる。
【００９９】
＜取得ステップＳ１２＞
次に、取得ステップＳ１２では、取得部４８５は、記憶部２８に記憶させていた、第１分光データと、第２分光データと、を取得する。
【０１００】
＜算出ステップＳ１３＞
次に、算出ステップＳ１３では、取得ステップＳ１２において取得した、第１分光データと、第２分光データと、に基づいて、下記の数式（４）により算出値Ｓを算出する。
【０１０１】
【数４】
2020112378.tif 000006
【０１０２】
算出値を算出する際、第１分光データと、第２分光データと、同一の波長λを含む波長情報を有する。このとき、例えば、第１分光データにおける第１スペクトル強度Ｉ１（ｗ，λ）とし、第２分光データにおける第２スペクトル強度Ｉ２（ｗ，λ）とする。なお、第１分光データは、第１波長を含む波長情報を有し、第２分光データは第１波長とは異なる第２波長を含む波長を有していてもよい。
【０１０３】
＜評価ステップＳ１４＞
次に、評価ステップＳ１４では、評価部２７は、算出ステップＳ１３において算出した算出値に基づいて、検査領域３における検出対象物を評価する。
【０１０４】
本実施形態によれば、算出部４８４は、第１分光データと、第２分光データと、に基づいて、算出値を算出する。これにより、第１分光データから外乱光の影響を考慮することができ、外乱光下であっても検出対象物を高精度に検出することができる。このため、外乱光下であっても検査領域３における検出対象物を高精度で評価することが可能となる。
【０１０５】
本実施形態によれば、第１分光データと、第２分光データとは、同一の波長を含む波長情報を有する。これにより、算出部４８４の算出処理を早く行うことができる。
【０１０６】
本実施形態によれば、第１分光データは、第１波長を含む波長情報を有し、第２分光データは、第１波長とは異なる第２波長を含む波長情報を有する。これにより、外乱光の影響が大きい波長と、検出対象物の影響が大きい波長から、それぞれの影響を考慮することができる。このため、検査領域３における検出対象物を外乱光の影響下においても高精度で評価することが可能となる。
【０１０７】
スペクトル撮像装置４は、以下の図１０に示す形態に具現化されるものであってもよい。このスペクトル撮像装置４は、一般的なデジタルカメラや、マルチスペクトルカメラ、更には携帯電話やスマートフォン、タブレット型端末、ウェラブル端末にそれぞれ実装されるあらゆるデジタルカメラを含むものである。このスペクトル撮像装置４は、通常の可視光の画像撮影に加えて、予め特定した波長範囲に限定してスペクトルデータを検知することを意図するものである。このスペクトル撮像装置４は、結像光学系５１と、分光部５２と、受光部５３と、制御部４８とを備えている。
【０１０８】
結像光学系５１は、少なくとも１つの撮像レンズ５６を有し、被写体からの光を集光し受光部５３の撮像面上に像を形成する。
【０１０９】
分光部５２は、被写体と撮像レンズ５６との間に配置される。分光部５２は、受光部５３に到達する光の経路上に配置され、光を波長毎の成分に分光させる機能を有している。分光部５２は、例えば、フィルタが用いられ、所定の分光透過率からなる素子である。即ち、この分光部５２は、予め設定されている波長範囲の光のみを透過させ、それ以外の波長範囲の光を反射するように作用する。分光部５２は、実際に透過させたい光の波長及び波長幅に応じてその種類が選択される。分光部５２は、スペクトル撮像装置４内に予め固定配置される場合を例にとり説明をするが、これに限定されるものではない。即ち、この分光部５２は、互いに透過する波長範囲が異なる複数の分光部５２を順次切換可能に構成されていてもよい。
【０１１０】
受光部５３は、ＣＣＤイメージセンサやＣＭＯＳイメージセンサ等の任意数の撮像素子により構成される。この受光部５３は、撮像面に結像された光を光電変換により電気信号へと変換する。そして、受光部５３により変換された電気信号は、制御部４８に送信される。
【０１１１】
制御部４８は、受光部５３から送られてくる電気信号を処理する回路である。この制御部４８は、受光部５３によって取得された分光データに基づいて、被写体からの光の波長毎に分離された分光画像（分光分離画像）を生成する。また制御部４８は、取得した電気信号に基づいて、各種焦点制御を行うようにしてもよい。その他制御部４８による制御内容は、上述した図３ｐに示す形態と同様である。
【０１１２】
分光データ作成部４８３は、受光部５３から送信されてきた電気信号に基づいて、被写体の撮像領域における２次元の空間情報毎に波長情報を有する分光データを作成する。分光データ作成部４８３は、受光部５３から送信されてきた電気信号に基づいて、第２方向Ｙ及び第３方向Ｚのそれぞれの座標軸上の一点に対応する２次元の空間情報毎に、波長情報とを有する３次元分光データを作成する。分光データ作成部４８３は、作成した３次元分光データを用いて、波長毎の分光画像（分光分離画像）を生成してもよい。
【０１１３】
このスペクトル撮像装置４では、電気信号を生成することで、制御部４８では、被写体の撮像領域である２次元の空間情報毎に波長情報を有する分光データを対応させ、３次元分光データを取得することができる。このとき、スペクトル撮像装置４には、一度の撮像で２次元の空間情報毎に波長情報を取得できる。このため、スペクトル撮像装置４では、同一時刻における３次元分光データを得ることができる。このため、スペクトル撮像装置４では、この３次元分光データから分光画像を生成し、時間的に連続して撮像することにより、動画像としても取得することもできる。したがって、検出対象物の付着状態について、その時間変化量を評価することも可能となる。
【０１１４】
本発明の実施形態を説明したが、実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１５】
１      ：評価システム
２      ：評価装置
３      ：検査領域
４      ：スペクトル撮像装置
６      ：励起光照射部
７      ：被覆材
２１    ：内部バス
２３    ：表示部
２４    ：制御部
２５    ：操作部
２６    ：通信部
２７    ：評価部
２８    ：記憶部
３１    ：第２凹凸部
４１    ：対物レンズ
４２    ：精密直動ステージ
４３    ：スリット板
４３ａ  ：スリット開口部
４４    ：コリメートレンズ
４５    ：分光部
４６    ：結像レンズ
４７    ：受光部
４８    ：制御部
５１    ：結像光学系
５２    ：分光部
５３    ：受光部
５６    ：撮像レンズ
７１    ：第１凹凸部
４８１  ：撮影制御部
４８２  ：移動制御部
４８３  ：分光データ作成部
４８４  ：算出部
４８５  ：取得部
【図１】
2020112378.tif 000007
【図２】
2020112378.tif 000008
【図３】
2020112378.tif 000009
【図４】
2020112378.tif 000010
【図５】
2020112378.tif 000011
【図６】
2020112378.tif 000012
【図７】
2020112378.tif 000013
【図８】
2020112378.tif 000014
【図９】
2020112378.tif 000015
【図１０】
2020112378.tif 000016